(57)【要約】【課題】ハードディスクドライブが正常であるか異常であるかを簡単に把握することができるハードディスクドライブのケースを提供する。【解決手段】直方体状のハードディスクドライブのケースであって、該ケースを構成する６面のうち底面を除くいずれかの面に、該ケースに内蔵されるハードディスクドライブの動作状態についての診断結果を、診断結果に対応する色の光で表示するＬＥＤ表示部を備えることを特徴とするハードディスクドライブのケース。【選択図】図１
0003178767.tif 000002
【実用新案登録請求の範囲】
【請求項１】
直方体状のハードディスクドライブのケースであって、該ケースを構成する６面のうち底面を除くいずれかの面に、該ケースに内蔵されるハードディスクドライブの動作状態についての診断結果を、診断結果に対応する色の光で表示するＬＥＤ表示部を備えることを特徴とするハードディスクドライブのケース。
【請求項２】
前記ＬＥＤ表示部は、前記ハードディスクドライブが正常な状態であることを示す第１の色のＬＥＤと、前記ハードディスクドライブが注意が必要な注意状態であることを示す第２の色のＬＥＤと、前記ハードディスクドライブが故障している故障状態であることを示す第３の色のＬＥＤと、を備えることを特徴とする請求項１に記載のハードディスクドライブのケース。
【考案の詳細な説明】
【技術分野】
【０００１】
本考案は、ハードディスクドライブのケースに関し、特に、ハードディスクドライブの動作状態に関する診断結果を表示する表示部を備える、ハードディスクドライブのケースに関するものである。
【背景技術】
【０００２】
従来、パーソナルコンピュータ（ＰＣ）等の外部記憶装置として、外付けハードディスクドライブ（ＨＤＤ）が用いられている。近年では、デジタルテレビや地上デジタルチューナーなどの映像装置の外部記憶装置としても使用されるようになり、その用途は拡大している。
【０００３】
外付けＨＤＤは、ＨＤＤ本体と、ＨＤＤを収容するケースなどから構成される。
【考案の概要】
【考案が解決しようとする課題】
【０００４】
外付けＨＤＤは、長期間の使用などによりＨＤＤ自体（ＨＤＤ本体）に不具合が生じ始めていても、その不調を把握することは困難である。特にテレビなどコンピュータ以外の装置に外付けＨＤＤを直接接続して利用される場合には、コンピュータに接続する場合のようにソフトを実行してＨＤＤを診断することはできないので、不調を把握することがさらに困難である。
【０００５】
本考案はこのようなハードディスクドライブの課題を解決するものであり、ハードディスクドライブが正常であるか異常であるかを簡単に把握することができるハードディスクドライブのケースを提供することを目的とする。
【課題を解決するための手段】
【０００６】
本考案は上記課題を解決するためになされたものであり、その考案の要旨とするところは以下のとおりである。
【０００７】
（１）直方体状のハードディスクドライブのケースであって、該ケースを構成する６面のうち底面を除くいずれかの面に、該ケースに内蔵されるハードディスクドライブの動作状態についての診断結果を、診断結果に対応する色の光で表示するＬＥＤ表示部を備えることを特徴とするハードディスクドライブのケース。
【０００８】
（２）上記（１）の構成において、前記ＬＥＤ表示部は、前記ハードディスクドライブが正常な状態であることを示す第１の色のＬＥＤと、前記ハードディスクドライブが注意が必要な注意状態であることを示す第２の色のＬＥＤと、前記ハードディスクドライブが故障している故障状態であることを示す第３の色のＬＥＤと、を備えることを特徴とする。
【考案の効果】
【０００９】
本考案によれば、ハードディスクドライブが正常であるか異常であるかを簡単に把握することができるハードディスクドライブのケースを提供することができる。
【図面の簡単な説明】
【００１０】
【図１】ハードディスクドライブのケースの正面図である。
【図２】ハードディスクドライブのケースの側面図である。
【図３】ＨＤＤケースの機能を示す機能ブロック図である。
【考案を実施するための形態】
【００１１】
以下、本考案の実施形態について、図面を参照しつつ説明する。
【００１２】
図１は、本実施形態のハードディスクドライブ（ＨＤＤ）のケース（以下、ＨＤＤケースとよぶ）１の一側面を示す図である。図２は、ＨＤＤケース１の他の側面を示す図である。
【００１３】
本実施形態のＨＤＤケース１は直方体状のケースであり、該ケースを構成する６面のうち底面を除くいずれかの面に、ＬＥＤ表示部を有する。本実施形態では、図１に示す一側面にＬＥＤ表示部が配置される。以下、ＨＤＤケース１の図１に示すＬＥＤ表示部を有する面を正面とする。図１に示す面を正面とした場合には、図２に示す面は右側面である。
【００１４】
本実施形態のＬＥＤ表示部は、ＨＤＤケース１の正面部の左右方向（Ｘ軸方向）片側（本実施形態では、向かって右側）の、上側に１箇所、下側に上下方向に２箇所配置される。上側のＬＥＤ表示部が、ＨＤＤ状態表示部２であり、下側のＬＥＤ表示部が上からアクセス表示部６と電源表示部８である。
【００１５】
ＨＤＤ状態表示部２は、後述するＨＤＤケース１の機能によりＨＤＤが正常であるのか、それとも何らかの異常があるのかの診断が行われると、ＨＤＤ表示部２に配置されるＬＥＤの点灯によりその診断結果を表示する。本実施形態ではＨＤＤ状態表示部２に３色のＬＥＤを配置し、異なる色の光により診断結果を３段階に分けて表示する。
【００１６】
具体的には、ＨＤＤ状態表示部２は、緑色ＬＥＤと黄色ＬＥＤと赤色ＬＥＤを備える。そして、ＨＤＤ状態表示部２は、診断によりＨＤＤが正常（ＧＯＯＤ）であると判定された場合には、緑色ＬＥＤを発光させて、ＨＤＤが正常であることを知らせる。また、ＨＤＤ状態表示部２は、ＨＤＤに何らかの問題があり、注意が必要な状態（ＣＡＵＴＩＯＮ）であるとの診断結果であった場合には、黄色ＬＥＤを発光させて注意状態であることを知らせる。また、ＨＤＤ状態表示部２は、ＨＤＤが故障して使用できない故障状態（ＢＡＤ）であるとの診断結果であった場合には、赤色ＬＥＤを発光させて故障状態であることを知らせる。
【００１７】
なお、本実施形態ではＨＤＤ状態表示部２として３色の発光のために３種類のＬＥＤを備えるとしたがこれに限られない。たとえば２種類の色のＬＥＤを備えて、それぞれ単独での発光と、２種類のＬＥＤの組み合わせでの発光により、３色の発光を実現してもよい。
【００１８】
また、ＨＤＤ状態表示部２は、ＬＥＤの発光のさせ方によって３種類の診断結果を示してもよい。たとえば、緑色ＬＥＤと赤色ＬＥＤの２色のＬＥＤを備えて、正常である場合には緑色ＬＥＤを点灯させ、注意状態である場合には緑色ＬＥＤを点滅させ、故障状態である場合には赤色ＬＥＤを点灯させてもよい。
【００１９】
次に、アクセス表示部６は、ＨＤＤケース１に収容されるＨＤＤ本体と、ＨＤＤに接続される外部の装置との間でデータのやりとりが行われていることを、ＬＥＤの点灯あるいは点滅により知らせる。ＬＥＤの色は特に限定されないが、本実施形態では赤色のＬＥＤでアクセスを表示する。
【００２０】
電源表示部８は、ＨＤＤケース１に電力が供給されていることを、ＬＥＤの点灯により知らせる。ＬＥＤの色は特に限定されないが、本実施形態では青色のＬＥＤで表示する。
【００２１】
また、ＨＤＤケース１は、図２において「接続端子側」と矢印で示しているケースの背面に、ＵＳＢケーブルを接続するＵＳＢ端子１０を備える。ＵＳＢ端子１０に接続されるＵＳＢケーブルにより、ＰＣあるいはテレビなどの外付けハードディスクを接続可能な装置とＨＤＤケース１とがデータ通信可能に接続される。
【００２２】
また、ＨＤＤケース１は背面に、電源入力端子１１を備える。電源入力端子１１から供給される電力により、ＨＤＤケース１の各ＬＥＤが点灯し、ＨＤＤが駆動される。
【００２３】
ＨＤＤケース１の背面にはその他に電源のオン／オフを切り替えるスイッチなどを備えてもよい。
【００２４】
また、ＨＤＤケース１は、ＨＤＤケース１の制御部として、プロセッサ１２とメモリ１４とを備える。プロセッサ１２はメモリ１４に格納されるプログラムを実行して様々な処理を行う。本実施形態ではプロセッサ１２は、ＨＤＤ診断処理プログラムを実行してＨＤＤ本体の診断処理を行い、各種表示部のＬＥＤの点灯、点滅を制御する。プロセッサ１２は、ＣＰＵ（Central Processing Unit）やＭＰＵ（Micro Processing Unit）などである。メモリ１４はプロセッサ１２によって実行されるプログラムなどを格納する記憶装置である。なお、この制御部によって実現される機能の一部又は全部を、ＡＳＩＣ（Application Specific Integrated Circuit）などの専用の回路によって実現してもよい。
【００２５】
以上のＨＤＤケース１は、その内部にＳＡＴＡ規格やＩＤＥ規格などの接続端子を備え、２．５インチのＨＤＤや３．５インチのＨＤＤなどを収容することができる。
【００２６】
次に本実施形態のＨＤＤケース１の機能を説明する。図３は、ＨＤＤケース１の機能ブロックを示す機能ブロック図である。これらの機能は、上述の通りプロセッサ１２がメモリ１４に格納されるプログラムを実行することにより（又はＡＳＩＣにより）実現される。
【００２７】
ＨＤＤケース１は、診断部１００と、表示制御部１０２と、データ通信制御部１０４と、電源制御部１０６と、を備える。
【００２８】
診断部１００は、ＨＤＤ本体が正常に動作しているか否かを診断する。診断部１００は、ＨＤＤが備える自己診断機能であるSelf-Monitoring, Analysis and Reporting Technology（Ｓ．Ｍ．Ａ．Ｒ．Ｔ．）を利用する。診断部１００は、Ｓ．Ｍ．Ａ．Ｒ．Ｔ．機能によって生成されたＨＤＤの診断データを取得する。診断部１００は取得した診断データに基づき、正常の程度を１００分率で評価する（以下、正常の程度を示す１００分率の値を「健康値」とも呼ぶ）。本実施形態では、診断部１００は健康値１００％の場合を正常状態とし、健康値９９〜３０％の場合を注意状態とし、３０％未満の場合を故障状態とする。診断部１００は定期的にあるいは所定のタイミングでＨＤＤの診断を行ってもよいし、ＨＤＤケース１に診断実行を指示する入力部を設けて、その入力部からの診断実行指示があった場合に行ってもよい。
【００２９】
本実施形態の診断部１００はＳ．Ｍ．Ａ．Ｒ．Ｔ．により検査される項目のうち、ＩＤ  ０５：Reallocated Sectors Count（代替処理済みの不良セクタ数）と、ＩＤ  ０７：Seek Error Rate（シークエラーレート）と、ＩＤ  ０Ａ：Spin Retry Count（スピンアップ再試行回数）と、ＩＤ  Ｃ４：Reallocation Event Count（セクタ代替処理発生回数）と、ＩＤ  Ｃ５：Current Pending Sector Count（代替処理保留中のセクタ数）と、ＩＤ  Ｃ６：Off-Line Scan Uncorrectable Sector Count（回復不可能セクタ数）と、の６つの項目のデータを用いて診断を行う。診断部１００は、さらに他の項目のデータを用いて診断を行ってもよい。
【００３０】
表示制御部１０２は、診断部１００によって算出された健康値に基づき、ＨＤＤ状態表示部２のいずれかの色のＬＥＤを点灯させる。具体的には、診断部１００がＨＤＤの健康値が１００％と診断した場合にはＨＤＤ状態表示部２の緑色ＬＥＤを点灯させる。また、診断部１００がＨＤＤの健康値が９９〜３０％と診断した場合にはＨＤＤ状態表示部２の黄色ＬＥＤを点灯させる。また、診断部１００がＨＤＤの健康値が３０％未満と診断した場合にはＨＤＤ状態表示部２の赤色ＬＥＤを点灯させる。
【００３１】
データ通信制御部１０４は、ＵＳＢ端子１０に接続されるＵＳＢケーブルを介して外部のＰＣやテレビなどの装置との間で行われるデータ通信を制御する。また、データ通信制御部１０４は、データ通信が行われている場合にアクセス表示部６のＬＥＤを点灯あるいは点滅させる。
【００３２】
電源制御部１０６は、ＨＤＤへの電力供給を制御する。本実施形態では電源制御部１０６は、電源入力端子１１から供給される電力をＨＤＤに供給する。また、電源制御部１０６は、電源入力端子１１から電力が供給されている場合には、電源表示部８のＬＥＤを点灯させる。なお、電力はＵＳＢケーブルによるＵＳＢバスパワーによって供給されてもよく、その場合には電源制御部１０６はＵＳＢケーブルから供給される電力の制御を行う。
【００３３】
以上説明した本実施形態のＨＤＤケース１によれば、ＨＤＤが使用されている状態において、ケース内に収容されたＨＤＤ本体が正常であるか異常であるかを特別な操作をすることなく一目で確認することができる。これにより、たとえばＨＤＤ状態表示部２の黄色ＬＥＤが点灯し、ユーザがＨＤＤが注意状態であることを確認した場合に、完全に故障状態になる前にデータのバックアップを取るなどしてデータを保全したり、修理をしてデータ読み込みが不可能になることを防いだりすることができる。従って、より安全に外付けＨＤＤを使用することができる。
【００３４】
本考案を特定の態様により詳細に説明したが、本考案の精神および範囲を逸脱しないかぎり、様々な変更および改質がなされ得ることは、当業者には自明であろう。
【００３５】
以上に詳述したように、本考案によれば、ハードディスクドライブが正常であるか異常であるかを簡単に把握することができるハードディスクドライブのケースを提供することができる。
【符号の説明】
【００３６】
１      ＨＤＤケース
２      ＨＤＤ状態表示部
６      アクセス表示部
８      電源表示部
１０    ＵＳＢ端子
１１    電源入力端子
１２    プロセッサ
１４    メモリ
１００  診断部
１０２  表示制御部
１０４  データ通信制御部
１０６  電源制御部
【図１】
0003178767.tif 000003
【図２】
0003178767.tif 000004
【図３】
0003178767.tif 000005